(57)【要約】  本発明は、第１のたて框４と、第１のたて框４に実質的に平行に配列された第２のたて框と、９、１０でたて框の各々４、６にヒンジで取り付けられた少なくとも１本の横さん８、１０、１２を備えた折畳み可能梯子２に関する。２本のたて框４、６は、１８、２０でスライドレール１６にヒンジで取り付けられている。スライドレール１６上のたて框４、６の締付けポイント１８、２０は、連続的に滑らかに移動させることができる。制御ロッド３４の一方の端部３６は、第１の框４上に移動不可能にヒンジ配列され、また、制御ロッド３４のもう一方の端部３８は、スライドレール１６上に移動不可能にヒンジ配列されている。
2005509768.tif 000002
【特許請求の範囲】
【請求項１】
第１のたて框（４）と、前記第１のたて框（４）に実質的に平行に配列された第２のたて框（６）と、（９、１１で）前記たて框（４、６）の各々にヒンジで取り付けられた少なくとも１本の横さん（８、１０、１２）とを備え、前記２本のたて框（４、６）が（１８、２０で）スライドレール（１６）にヒンジ接続され、前記スライドレール（１６）上を前記たて框（４、６）の締付けポイント（１８、２０）が連続的に滑らかに移動する折畳み可能梯子（２）であって、制御ロッド（３４）の一方の端部（３６）が前記第１のたて框（４）上に移動不可能にヒンジ配列され、かつ、制御ロッド（３４）のもう一方の端部（３８）が前記スライドレール（１６）上に移動不可能にヒンジ配列されたことを特徴とする折畳み可能梯子。
【請求項２】
前記折畳み可能梯子（２）が少なくとも枢動可能であり、それにより前記第２のたて框（６）に対する前記第１のたて框（４）の相対位置を変化させることができることを特徴とする請求項１に記載の折畳み可能梯子。
【請求項３】
前記たて框（４、６）がそれぞれ（１８、２０で）外部構造（１６）にヒンジで取り付けられた上端部を有することを特徴とする請求項１又は２のいずれかに記載の折畳み可能梯子。
【請求項４】
前記たて框（４、６）が（４４で）中間要素（４２）を介して外部構造（１６）にヒンジで取り付けられたことを特徴とする請求項１から３までのいずれか一項に記載の折畳み可能梯子。
【請求項５】
前記中間要素が横さん（４２）であることを特徴とする請求項４に記載の折畳み可能梯子。
【請求項６】
前記外部構造（１６）上の前記たて框（４、６）の前記締付けポイント（１８、２０）が移動可能であることを特徴とする請求項１から５までのいずれか一項に記載の折畳み可能梯子。
【請求項７】
前記梯子（２）がその展開使用位置にある場合に、少なくとも１本の横さん（８、１０、１２）が前記たて框（４、６）に対して実質的に直角をなすことを特徴とする請求項１から６までのいずれか一項に記載の折畳み可能梯子。
【請求項８】
前記梯子（２）がその引込み格納位置にある場合に、少なくとも１本の横さん（８、１０、１２）が前記たて框（４、６）に対して実質的に平行であることを特徴とする請求項１から７までのいずれか一項に記載の折畳み可能梯子。
【請求項９】
前記第１のたて框（４）が第１の外径を有する管状であり、前記少なくとも１本の横さん（８、１０、１２）が、第２の内径及び第３の外径を有する、中心に沿って縦に切断された管の形状であり、前記第２のたて框（６）が、第４の内径を有する、中心に沿って縦に切断された管の形状であり、前記第２の直径が、前記第１の直径より長いが前記第３の直径より短く、前記第４の直径が前記第３の直径より長いことを特徴とする請求項１から８までのいずれか一項に記載の折畳み可能梯子。
【請求項１０】
前記第２のたて框（６）が前記第１のたて框（４）より短いことを特徴とする請求項１から９までのいずれか一項に記載の折畳み可能梯子。
【請求項１１】
前記折畳み可能梯子（２）がロック装置（２４）を備え、それにより前記折畳み可能梯子（２）をその引込み格納位置で移動不可能にロックすることができることを特徴とする請求項１から１０までのいずれか一項に記載の折畳み可能梯子。
【請求項１２】
前記折畳み可能梯子（２）がガス・ダンパ（４０）を備えたことを特徴とする請求項１から１１までのいずれか一項に記載の折畳み可能梯子。
【請求項１３】
前記折畳み可能梯子（２）をトラックの運転室内の寝棚（１４）と共同して適合させることができることを特徴とする請求項１から１２までのいずれか一項に記載の折畳み可能梯子。
【請求項１４】
前記折畳み可能梯子（２）をその引込み格納位置で前記寝棚（１４）に挿入することができることを特徴とする請求項１３に記載の折畳み可能梯子。
【発明の詳細な説明】
【技術分野】
【０００１】
本発明は、外部構造に取り付けるようになされた折畳み可能梯子に関する。
【背景技術】
【０００２】
折畳み可能梯子は、非使用時の占有スペースが最少可能スペースになるように格納することが望ましい適用例に適している。
【０００３】
建物又は足場に締結することを意図された折畳み可能梯子を参照したＣＨ  Ａ５  ６５２  ７９７に、折畳み可能梯子の一例が参照されている。この梯子は、ブラケットによって建物又は足場に確実に取り付けることが意図された第１のたて框、前記第１のたて框に対して運動するようになされた第２のたて框及び両たて框にそれぞれヒンジで固定された多数の横さんを備えている。梯子がその引込み位置にある場合、たて框は、Ｕ字形断面を互いに重ね合わせて嵌合し、Ｕ形断面のフランジが互いの両端に展開している。梯子の無許可使用を防止するために、梯子をその引込み位置で保持するためのロック装置が提供されている。ロック装置が解除されると、可動たて框は、重力によって常に垂直位置に降下し、個々の横さんの位置が元のほぼ垂直位置から最終使用水平位置に変化する。
【発明の開示】
【発明が解決しようとする課題】
【０００４】
この種の梯子が抱えている問題の１つは、垂直位置でしか梯子を格納することができないことである。また、この種の梯子が抱えているもう１つの問題は、一方のたて框を動かすことができないため、梯子を使用している場所でしか梯子を格納することができないことである。
【課題を解決するための手段】
【０００５】
本発明による、外部構造にヒンジで取り付けられた第１のたて框と、第１のたて框に実質的に平行に配列された、同じく外部構造にヒンジで取り付けられた第２のたて框と、第１及び第２のたて框の各々にヒンジで取り付けられた少なくとも１本の横さんを備えた折畳み可能梯子構造により、梯子の垂直位置でしか格納することができないという問題、及び一方のたて框を動かすことができないという問題が解決される。特許請求の範囲の請求項１による折畳み可能梯子は、折畳み可能梯子を非垂直位置で格納することができるという利点、及び両方のたて框を動かすことができるという利点をもたらしている。また、両方のたて框がヒンジで取り付けられた梯子の、空間的により制御された展開及び引込みを達成するという問題が解決され、それにより、例えば梯子の周囲を、梯子とその周囲のいかなる物ともぶつかる危険を招くことなく、より容易に最適活用することができる。
【０００６】
特許請求の範囲の独立請求項に記載されている特徴は、以下に列記する他の利点をもたらしている。
梯子部品の丸みが施された断面形状によるねじり剛性ため、展開状態における梯子を極めて頑丈にすることができ、したがって部品の寸法を従来使用されている寸法より小さくすることができる。
溶接又は他の結合を必要としない押出しアルミニウム製であるため、梯子が安価になる。
横さんが丸いため、靴を履くことなく快適に展開状態の梯子を登ることができる。
例えば、短い方のたて框の下方に冷蔵庫用のスペースが確保されるため、梯子の展開位置におけるスペースが節約される。
引込み状態における梯子が極めてコンパクトである。
トラックの寝棚に梯子を統合することができ、したがって、邪魔にならないよう、非使用時には梯子を完全に片付けることができる。
【０００７】
以下、本発明について、添付の図面を参照してより詳細に説明する。
【実施例】
【０００８】
本発明について、以下、トラック運転室内に配置される場合について説明する。以下の説明は、本発明が意図するいくつかの可能適用例の中の好ましい適用例の一実施例に過ぎず、それらの多数の可能適用例については後述する。
【０００９】
図１は、本発明の第１の実施例による、完全に展開した使用位置にある折畳み可能梯子２を正面から見た図を示したものである。折畳み可能梯子２は、第１のたて框４（図の左側のたて框）、第１のたて框に実質的に平行に配列された第２のたて框６（図の右側のたて框）及び９、１１でたて框４、６の各々にヒンジ接続された３本の横さん８、１０、１２を備えている。また、少なくとも１本の横さんを使用することを条件として、横さんを２本以下にすることも可能である。２本のたて框４、６は、１８、２０で外部構造にヒンジで取り付けられている。この実施例では、外部構造はトラック運転室内の寝棚１４であっても良いが、トラック運転室内の寝棚１４に取り付けられたスライドレール１６であることが好ましい。スライドレール１６は、寝棚１４に固定して取り付けることができ、あるいは移動可能に取り付けることができる。このように、たて框４、６は、１８、２０で外部構造１６に直接ヒンジで取り付けることができる。スライドレール１６を寝棚１４に移動可能に取り付けることにより、スライドレール１６においては引込み状態にある梯子２をその引込み格納位置で寝棚１４の凹所に挿入することができ、それにより、邪魔にならないよう、非使用時には梯子２を完全に片付けることができる。例えば、寝棚の下部に凹所を設け、引込み位置にある梯子が下部表面から下に向かってはみ出さないようにすることができる。
【００１０】
たて框４、６は、外部構造１６にヒンジで取り付けられ、かつ、たて框４、６を互いの方向に向けて移動させることによって梯子２を引き込むことができるよう、３本の横さん８、１０、１２を介して互いに接続されている。これは、梯子２が少なくとも枢動可能であり、それにより第２のたて框６に対する第１のたて框４の相対位置が変化することを意味している。また、ヒンジ接続部分１８、２０は、第２のたて框６に対する第１のたて框４の相対位置を変化させることなく梯子２を他の方向、例えばたて框４、６及び横さん８、１０、１２の両方の縦軸に対して直角をなす方向へ枢動させることができるように外部構造１６に配置することも可能である。
【００１１】
たて框４、６は、たて框４、６の前述の引込み運動を可能にする、つまり、たて框４、６を互いの方向に向けて移動させることができる所望の任意の適切なポイントで外部構造にヒンジで取り付けることができるが、たて框４、６は、１８、２０で、たて框４、６の上端で外部構造１６にヒンジで取り付けられることが好ましい。
【００１２】
たて框４、６は、１８、２０で外部構造１６に直接ヒンジ接続されることが好ましい。また、たて框は、中間要素を介して外部構造にヒンジで取り付けることも可能であり、これについては追ってより詳細に説明する。
【００１３】
上述したように、外部構造として、例えばスライドレール１６を使用することができ、その場合、２本のたて框４、６は、そのスライドレール１６に移動可能に取り付けられる。これは、たて框４、６を外部構造１６上に締め付けるポイント１８、２０が移動可能、好ましくは滑らかに移動可能であることを意味している。例えば、その間を１ステップずつたて框４、６を移動させることができる複数のファスナを寝棚１４に持たせることにより、框４、６のアタッチメントを多数のステップで移動させる、又は再配置することができることも意図されている。
【００１４】
梯子２がその展開使用位置にある場合、少なくとも１本の横さん８、１０、１２は、たて框４、６に対して実質的に直角をなしている。梯子２がその展開使用位置にある場合、第１のたて框４は、寝棚１４から運転室の床２２へ従前通り下方へ展開する。好ましい実施例によれば、第２のたて框６は、第１のたて框４より短く、従前通り寝棚１４から運転室の床２２に向かって下方へ展開するが、床２２に達することはない。したがって、例えば冷蔵庫をトラックの運転室のスペースに配置することが可能であるため、梯子２がその展開使用位置にある場合のスペースが節約され、トラックの運転室が開放される。しかしながら、このスペースの節約を必要としない場合、第２のたて框６は、第１のたて框４と同じ方法で配置することが可能であり、そのために第２のたて框６の長さを第１のたて框４の長さと同じ長さにすることができる。
【００１５】
図２は、折畳み可能梯子２が部分的に展開した位置にある、図１と同様の図を示したものである。梯子２は、たて框４、６をスライドレール１６に対して枢動させ、それによりたて框４、６を互いの方向に向けて移動させることによって引き込まれている。たて框４、６は、１８、２０で、たて框４、６の上端でスライドレール１６に移動可能に好ましく締め付けられているため、梯子２の引込みと同時に、スライドレール１６へのたて框４、６の締付けポイント１８、２０を横方向（図１の場合、左側に）移動させることができる。したがって、例えばたて框４を掴み、かつ、前記締付けポイント１８、２０が横方向に移動している間、梯子２が引き込まれるよう、たて框４を実質的に真っ直ぐ上に移動させることによって梯子２を引き込むことができる。これは、梯子２を操作することができるスペースが限られている場合、例えばトラックの２つの座席の後部に、その２つの座席と座席の間に梯子２が置かれている場合に有利である。梯子２がその引込み格納位置にある場合、少なくとも１本の横さん８、１０、１２は、たて框４、６と実質的に平行である。
【００１６】
図３は、完全に引き込まれた格納位置にある折畳み可能梯子２を上から見た、図１と同様の略図を示したものである。梯子２にはロック装置２４が設けられており、梯子２をその引込み格納位置で確実にロックすることができる。有利なこのロック装置は、ばね荷重スナップロックの形態を取っており、それにより２つのロック・プロングによってばねが自動的に伸縮し、梯子を寝棚に押し上げると梯子がロックされる。ロック装置上のハンドルを引っ張るとロック・プロングが引き込まれ、梯子が解放される。他のタイプのロック装置、例えば単純な掛金も意図されている。
【００１７】
図４は、折畳み可能梯子２が完全に引き込まれた格納位置にある図３のＩＶ−ＩＶ断面を示したものである。たて框４、６及び横さん８、１０、１２は、Ｕ字形断面を持たせることができるが、好ましい実施例によれば、第１のたて框４は管状であり、第１の外径を有している。また、少なくとも１本の横さん８、１０、１２は、中心に沿って縦に切断された管の形を取っており、第２の内径及び第３の外径を有している。第２のたて框６も中心に沿って縦に切断された管の形を取っており、第４の内径を有している。第２の直径は、第１の直径より長く、かつ、第３の直径より短くなっている。また、第４の直径は、第３の直径より長くなっている。したがって、たて框４、６及び横さん８、１０、１２は、梯子２が引き込まれると、その断面を互いに重ね合わせて相互に嵌合する。これは、引込み位置では梯子２が極めてコンパクトであることを意味している。
【００１８】
図５は、好ましい第１の実施例による折畳み可能梯子２の引込み機構を略斜視図で示したものである。第１のたて框４及び第２のたて框６は、たて框上に配列された４つのスライド・要素２６、２８、３０、３２を介して、それぞれ従来の方法でスライドレール１６（図示せず）上を移動するようになされている。制御ロッド３４は、その一方の端部３６を介して第１のたて框４上に移動不可能にヒンジ配列され、また、そのもう一方の端部３８を介してスライドレール１６上に移動不可能にヒンジ配列されている。したがって、制御ロッド３４は、梯子２を引き込み、あるいは展開させる際のスライドレール１６に沿った梯子２の横方向の移動を制御している。ロック装置２４が解除されると、梯子２は、重力の影響の下に、たて框４と６の間にガス・ダンパ４０を備えた梯子２による穏やかな緩慢な動きで下方へ向かって自動的に展開する。
【００１９】
図６は、本発明の他の実施例による、完全に展開した使用位置にある折畳み可能梯子２を上から見た略図を示したものである。既に言及したように、たて框は、外部構造に直接ヒンジで取り付けられていることが好ましいが、この第２の実施例によれば、たて框４、６は、４４で例えば別の横さん４２などの中間要素４２を介して外部構造１６にヒンジで取り付けられている。この横さん４２は、９、１１で他の横さん８、１０、１２と同じ方法でたて框４、６にヒンジで取り付けられているが、例えばたて框４、６の上端に設けられている。横さん４２自体は、締付けポイント４４で外部構造１６に取り付けられている。この実施例では、外部構造は、トラックの運転室内の寝棚１４であるが、外部構造は、トラックの運転室内の寝棚１４に取り付けられたスライドレール１６であることが好ましい。スライドレール１６は寝棚１４に固定して取り付けることも、あるいは移動可能に取り付けることもできる。このように、たて框４、６は、９、１１、４４で間接的に外部構造１６にヒンジで取り付けることができる。スライドレール１６を寝棚１４に移動可能に取り付けることは、梯子２をその引込み格納位置で寝棚１４に挿入することができ、それにより、邪魔にならないよう、非使用時には梯子２を完全に片付けることができることを意味している。
【００２０】
上述したように、この梯子は、トラックの運転室内の寝棚と共同して適合させることができる。本発明による梯子は、この好ましい梯子適用例以外にも、邪魔にならないよう、非使用時の占有スペースが最少スペースになるように格納することが望ましいあらゆる適用例に適用することが可能である。実施例には、トラックの運転室壁の外側、ボート、家屋、ローディング・ベイ及び家庭用二段ベッド用の梯子がある。
【図面の簡単な説明】
【００２１】
【図１】本発明の第１の実施例による、完全に展開した使用位置にある折畳み可能梯子を正面から見た略図である。
【図２】折畳み可能梯子が部分的に展開した位置にある、図１と同様の図である。
【図３】完全に引き込まれた格納位置にある折畳み可能梯子を上から見た、図１と同様の図である。
【図４】折畳み可能梯子が完全に引き込まれた格納位置にある図３のＩＶ−ＩＶ断面を示す略図である。
【図５】本発明の好ましい第１の実施例による折畳み可能梯子の引込み機構を示す略斜視図である。
【図６】本発明の第２の実施例による、完全に展開した使用位置にある折畳み可能梯子を正面から見た略図である。
【図１】
2005509768.tif 000003
【図２】
2005509768.tif 000004
【図３】
2005509768.tif 000005
【図４】
2005509768.tif 000006
【図５】
2005509768.tif 000007
【図６】
2005509768.tif 000008
【国際調査報告】
2005509768.tif 000009
2005509768.tif 000010
2005509768.tif 000011